(57)【特許請求の範囲】
【請求項１】
通信事業者側回線終端装置と、複数の加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムにおいて、
前記通信事業者側回線終端装置は、
前記加入者側回線終端装置との間のリンク断を検出するリンク断検出手段と、
前記加入者側回線終端装置から送信される電源の遮断情報に基づき、前記加入者側回線終端装置の電源が遮断されたことを検出する電源断検出手段と、
前記光信号が伝送される伝送路を、前記第１および第２伝送路のいずれか一方から選択する選択手段と、
前記リンク断検出手段によって少なくとも一部の前記加入者側回線終端装置との間のリンク断が検出された場合であって所定数以上の前記加入者側回線終端装置から前記遮断情報を受信していないときは前記選択手段による選択を他方に切り替え、一部の前記加入者側回線終端装置との間のリンク断が検出された場合であって前記所定数未満の前記加入者側回線終端装置から前記遮断情報を受信していないときは前記選択手段によるその時点の選択を維持する制御を実行する制御手段と、
を有することを特徴とするネットワークシステム。
【請求項２】
前記第１および第２伝送路を伝送される光信号を合波して前記加入者側回線終端装置にそれぞれ供給するとともに、前記加入者側回線終端装置からそれぞれ出力される光信号を分波して前記第１および第２伝送路にそれぞれ供給するカプラを有することを特徴とする請求項１に記載のネットワークシステム。
【請求項３】
前記複数の加入者側回線終端装置を第１加入者側回線終端装置群とするとき、これとは異なる複数の加入者側回線終端装置を第２加入者側回線終端装置群としてさらに有し、
前記第１および第２伝送路を伝送される光信号を合波して前記第１加入者側回線終端装置群を構成する前記加入者側回線終端装置のそれぞれと前記第２加入者側回線終端装置群を構成する前記加入者側回線終端装置のそれぞれに供給するとともに、前記第１加入者側回線終端装置群を構成する前記加入者側回線終端装置のそれぞれから出力される光信号と前記第２加入者側回線終端装置群を構成する前記加入者側回線終端装置のそれぞれから出力される光信号を分波して前記第１および第２伝送路にそれぞれ供給するカプラを有することを特徴とする請求項１に記載のネットワークシステム。
【請求項４】
前記制御手段は、前記リンク断検出手段によって全ての前記加入者側回線終端装置との間のリンク断が検出された場合であって、全ての前記加入者側回線終端装置から前記遮断情報を受信していないときは、前記伝送路に異常が発生していると判定して前記選択手段による選択を他方に切り替える制御を実行することを特徴とする請求項１乃至３のいずれか１項に記載のネットワークシステム。
【請求項５】
通信事業者側回線終端装置と、複数の加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置からそれぞれ出力される光信号を分波して前記第１および第２伝送路に供給するネットワークシステムの前記通信事業者側回線終端装置において、
前記加入者側回線終端装置との間のリンク断を検出するリンク断検出手段と、
前記加入者側回線終端装置から送信される電源の遮断情報に基づき、前記加入者側回線終端装置の電源が遮断されたことを検出する電源断検出手段と、
前記光信号が伝送される伝送路を、前記第１および第２伝送路のいずれか一方から選択する選択手段と、
前記リンク断検出手段によって少なくとも一部の前記加入者側回線終端装置との間のリンク断が検出された場合であって所定数以上の前記加入者側回線終端装置から前記遮断情報を受信していないときは前記選択手段による選択を他方に切り替え、一部の前記加入者側回線終端装置との間のリンク断が検出された場合であって前記所定数未満の前記加入者側回線終端装置から前記遮断情報を受信していないときは前記選択手段によるその時点の選択を維持する制御を実行する制御手段と、
を有することを特徴とする通信事業者側回線終端装置。
【発明の詳細な説明】
【技術分野】
【０００１】
本発明は、ネットワークシステムおよび通信事業者側回線終端装置に関するものである。
【背景技術】
【０００２】
特許文献１に開示されたＰＯＮシステムでは、図６に示すように、ＯＮＵ１０４は、異なる通信経路でＯＬＴ１０１に接続された複数のＰＯＮインタフェース１４１，１４２を備え、ＯＬＴ１０１は、ＰＯＮインタフェース１４１，１４２を介して各ＯＮＵ１０４との間で信号の送受信を行う光送受信部１１１，１１２と、光送受信部１１１，１１２から通信経路の通信品質を示すパラメータを取得し、このパラメータに基づいて当該通信経路の異常を検知する通信パラメータ監視制御部１１３，１１４と、使用する通信経路を選択するスイッチ部１１６と、通信パラメータ監視制御部１１３，１１４による監視結果に基づいて、通信経路の切替えをスイッチ部１１６に指示するスイッチ制御部１１５と、を備えている。
【先行技術文献】
【特許文献】
【０００３】
【特許文献１】特開２０１３−１９７６９０号公報
【発明の概要】
【発明が解決しようとする課題】
【０００４】
ところで、特許文献１に開示された技術では、ＯＮＵ１０４（加入者側回線終端装置）は、光信号を送受信するＰＯＮインタフェース１４１，１４２をそれぞれ２つずつ有していることから、装置の製造コストが高くなるという問題点がある。
【０００５】
さらに、特許文献１に開示された技術では、例えば各ＯＮＵ１０４の電源が遮断された場合にも、通信経路の異常と誤検知してしまう可能性があるという問題点がある。
【０００６】
本発明は、上記の課題に鑑み、加入者側回線終端装置の製造コストを低く抑えるとともに、電源断と電源断以外の要因による通信異常とを峻別し、異常発生時に伝送路をより確実に切り替えることが可能なネットワークシステムおよび通信事業者側回線終端装置を提供することを目的としている。
【課題を解決するための手段】
【０００７】
上記課題を解決するために、本発明は、通信事業者側回線終端装置と、複数の加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置から出力される光信号を前記第１および第２伝送路のいずれか一方に供給するネットワークシステムにおいて、前記通信事業者側回線終端装置は、前記加入者側回線終端装置との間のリンク断を検出するリンク断検出手段と、前記加入者側回線終端装置から送信される電源の遮断情報に基づき、前記加入者側回線終端装置の電源が遮断されたことを検出する電源断検出手段と、前記光信号が伝送される伝送路を、前記第１および第２伝送路のいずれか一方から選択する選択手段と、前記リンク断検出手段によって少なくとも一部の前記加入者側回線終端装置との間のリンク断が検出された場合であって所定数以上の前記加入者側回線終端装置から前記遮断情報を受信していないときは前記選択手段による選択を他方に切り替え、一部の前記加入者側回線終端装置との間のリンク断が検出された場合であって前記所定数未満の前記加入者側回線終端装置から前記遮断情報を受信していないときは前記選択手段によるその時点の選択を維持する制御を実行する制御手段と、を有することを特徴とする。
このような構成によれば、製造コストを低く抑えるとともに、電源断と電源断以外の要因による通信異常とを峻別し、異常発生時に伝送路をより確実に切り替えることが可能となる。
【０００８】
また、本発明は、前記第１および第２伝送路を伝送される光信号を合波して前記加入者側回線終端装置にそれぞれ供給するとともに、前記加入者側回線終端装置からそれぞれ出力される光信号を分波して前記第１および第２伝送路にそれぞれ供給するカプラを有することを特徴とする。
このような構成によれば、第１および第２伝送路によって伝送路を多重化することができる。
【０００９】
また、本発明は、前記複数の加入者側回線終端装置を第１加入者側回線終端装置群とするとき、これとは異なる複数の加入者側回線終端装置を第２加入者側回線終端装置群としてさらに有し、前記第１および第２伝送路を伝送される光信号を合波して前記第１加入者側回線終端装置群を構成する前記加入者側回線終端装置のそれぞれと前記第２加入者側回線終端装置群を構成する前記加入者側回線終端装置のそれぞれに供給するとともに、前記第１加入者側回線終端装置群を構成する前記加入者側回線終端装置のそれぞれから出力される光信号と前記第２加入者側回線終端装置群を構成する前記加入者側回線終端装置のそれぞれから出力される光信号を分波して前記第１および第２伝送路にそれぞれ供給するカプラを有することを特徴とする。
【００１０】
また、本発明は、前記制御手段は、前記リンク断検出手段によって全ての前記加入者側回線終端装置との間のリンク断が検出された場合であって、全ての前記加入者側回線終端装置から前記遮断情報を受信していないときは、前記伝送路に異常が発生していると判定して前記選択手段による選択を他方に切り替える制御を実行することを特徴とする。
【００１３】
また、本発明は、通信事業者側回線終端装置と、複数の加入者側回線終端装置と、これらを接続する第１および第２伝送路とを少なくとも有し、前記第１および第２伝送路のいずれか一方を伝送される光信号を前記加入者側回線終端装置に供給するとともに、前記加入者側回線終端装置からそれぞれ出力される光信号を分波して前記第１および第２伝送路に供給するネットワークシステムの前記通信事業者側回線終端装置において、前記加入者側回線終端装置との間のリンク断を検出するリンク断検出手段と、前記加入者側回線終端装置から送信される電源の遮断情報に基づき、前記加入者側回線終端装置の電源が遮断されたことを検出する電源断検出手段と、前記光信号が伝送される伝送路を、前記第１および第２伝送路のいずれか一方から選択する選択手段と、前記リンク断検出手段によって少なくとも一部の前記加入者側回線終端装置との間のリンク断が検出された場合であって所定数以上の前記加入者側回線終端装置から前記遮断情報を受信していないときは前記選択手段による選択を他方に切り替え、一部の前記加入者側回線終端装置との間のリンク断が検出された場合であって前記所定数未満の前記加入者側回線終端装置から前記遮断情報を受信していないときは前記選択手段によるその時点の選択を維持する制御を実行する制御手段と、を有することを特徴とする。
このような構成によれば、製造コストを低く抑えるとともに、異常発生時に伝送路をより確実に切り替えることが可能となる。
【発明の効果】
【００１４】
本発明によれば、加入者側回線終端装置の製造コストを低く抑えるとともに、電源断と電源断以外の要因による通信異常とを峻別し、異常発生時に伝送路をより確実に切り替えることが可能なネットワークシステムおよび通信事業者側回線終端装置を提供することが可能となる。
【図面の簡単な説明】
【００１５】
【図１】本発明の第１実施形態に係るネットワークシステムの構成例を示す図である。
【図２】図１の他の構成例を示す図である。
【図３】図１に示す第１実施形態において実行される処理の一例を説明するフローチャートである。
【図４】本発明の第２実施形態に係るネットワークシステムの構成例を示す図である。
【図５】図４の他の構成例を示す図である。
【図６】従来のネットワークシステムの構成を示す図である。
【発明を実施するための形態】
【００１６】
次に、本発明の実施形態について説明する。
【００１７】
（Ａ）本発明の第１実施形態の構成の説明
図１は、本発明の第１実施形態に係るネットワークシステムの構成例を示す図である。この図に示すように、第１実施形態に係るネットワークシステムは、上位ネットワーク１０、通信事業者側ＰＯＮ（Passive Optical Network）  Ｉ／Ｆ（Interface）２０、総合監視制御部３０、伝送路４０、カプラ５０−１，５０−２、カプラ５１−１〜５１−ｎ、加入者側ＰＯＮ  Ｉ／Ｆ６０−１〜６０−ｎ、および、ＰＣ（Personal Computer）６１−１〜６１−ｎを主要な構成要素としている。なお、図１では、１台の通信事業者側ＰＯＮ  Ｉ／Ｆ２０を例示しているが、複数の通信事業者側ＰＯＮ  Ｉ／Ｆを接続し、総合監視制御部３０によって制御するようにしてもよい。
【００１８】
上位ネットワーク１０は、例えば、インターネット等によって構成され、上位ネットワーク１０を介して他の通信相手との間で情報の授受を行う。
【００１９】
通信事業者側ＰＯＮ  Ｉ／Ｆ２０は、通信事業者側に設置される光終端装置であり、上位ネットワーク１０から受信した信号を伝送路４０に送出するとともに、伝送路４０から受信した光信号を上位ネットワークに送出する機能を有している。通信事業者側ＰＯＮ  Ｉ／Ｆ２０は、ＵＰ  ＬＩＮＫ側送受信部２１Ａ，２１Ｂ、ＰＯＮ  ＬＩＮＫ側送受信部２２Ａ，２２Ｂ、光電変換部２３Ａ，２３Ｂ、および、ＰＯＮ  Ｉ／Ｆ制御部２４を有している。なお、ＵＰ  ＬＩＮＫ側送受信部２１Ａ，２１Ｂ、ＰＯＮ  ＬＩＮＫ側送受信部２２Ａ，２２Ｂ、光電変換部２３Ａ，２３Ｂは、二重化されており、これらは互いに同様の機能を有している。以下では、ＵＰ  ＬＩＮＫ側送受信部２１Ａ、ＰＯＮ  ＬＩＮＫ側送受信部２２Ａ、および、光電変換部２３ＡをＡ系と称し、ＵＰ  ＬＩＮＫ側送受信部２１Ｂ、ＰＯＮ  ＬＩＮＫ側送受信部２２Ｂ、および、光電変換部２３ＢをＢ系と称する。
【００２０】
ここで、ＵＰ  ＬＩＮＫ側送受信部２１Ａ，２１Ｂは、上位ネットワーク１０との間でリンクを形成して信号を送受信する。ＵＰ  ＬＩＮＫ側送受信部２１Ａ，２１Ｂは、検出部２１Ａ１，２１Ｂ１および制御部２１Ａ２，２１Ｂ２を有し、検出部２１Ａ１，２１Ｂ１によって上位ネットワーク間との通信状態等のリンクの状態や、ＵＰ  ＬＩＮＫ側送受信部２１Ａ，２１Ｂの動作状態を検出してＰＯＮ  Ｉ／Ｆ制御部２４に通知するとともに、制御部２１Ａ２，２１Ｂ２によって動作状態を制御する。
【００２１】
ＰＯＮ  ＬＩＮＫ側送受信部２２Ａ，２２Ｂは、ＵＰ  ＬＩＮＫ側送受信部２１Ａ，２１Ｂからそれぞれ供給される信号を光電変換部２３Ａ，２３Ｂに対して供給するとともに、光電変換部２３Ａ，２３Ｂから供給される信号をＵＰ  ＬＩＮＫ側送受信部２１Ａ，２１Ｂにそれぞれ供給する。ＰＯＮ  ＬＩＮＫ側送受信部２２Ａ，２２Ｂは、検出部２２Ａ１，２２Ｂ１および制御部２２Ａ２，２２Ｂ２をそれぞれ有している。検出部２２Ａ１，２２Ｂ１は、電気信号の内容に基づいて、加入者側ＰＯＮ  Ｉ／Ｆ６０−１〜６０−ｎの電源が遮断されたことを示す電源断情報を検出したり、加入者側ＰＯＮ  Ｉ／Ｆ６０−１〜６０−ｎとの情報の送受信が成り立たないか否か、即ちリンク断が発生したか否かを検出したりして、ＰＯＮ  Ｉ／Ｆ制御部２４に通知する。制御部２２Ａ２，２２Ｂ２は、ＰＯＮ  Ｉ／Ｆ制御部２４からの制御信号に基づいてＰＯＮ  ＬＩＮＫ側送受信部２２Ａ，２２Ｂの動作を制御する。
【００２２】
光電変換部２３Ａ，２３Ｂは、ＰＯＮ  ＬＩＮＫ側送受信部２２Ａ，２２Ｂから供給される電気信号を光信号に変換して伝送路４０に送出するとともに、伝送路４０を介して伝送される光信号を電気信号に変換してＰＯＮ  ＬＩＮＫ側送受信部２２Ａ，２２Ｂに供給する。光電変換部２３Ａ，２３Ｂは、検出部２３Ａ１，２３Ｂ１および制御部２３Ａ２，２３Ｂ２をそれぞれ有している。検出部２３Ａ１，２３Ｂ１は、光電変換部２３Ａ，２３Ｂ自身の故障を検出するとともに、光信号に含まれている信号レベルの低下、および、光信号断等を検出し、ＰＯＮ  Ｉ／Ｆ制御部２４に通知する。また、制御部２３Ａ２，２３Ｂ２は、ＰＯＮ  Ｉ／Ｆ制御部２４による制御に応じて、光信号の送出を停止または開始する。
【００２３】
ＰＯＮ  Ｉ／Ｆ制御部２４は、検出部２１Ａ１，２１Ｂ１，２２Ａ１，２２Ｂ１，２３Ａ１，２３Ｂ１の検出結果を総合監視制御部３０に通知する。また、ＰＯＮ  Ｉ／Ｆ制御部２４は、総合監視制御部３０からの制御信号に応じて制御部２１Ａ２，２１Ｂ２，２２Ａ２，２２Ｂ２，２３Ａ２，２３Ｂ２を制御する。
【００２４】
総合監視制御部３０は、ＰＯＮ  Ｉ／Ｆ制御部２４と接続され、例えば、通信事業者側ＰＯＮ  Ｉ／Ｆ２０および加入者側ＰＯＮ  Ｉ／Ｆ６０−１〜６０−ｎの設定情報を送受信するとともに、通信事業者側ＰＯＮ  Ｉ／Ｆ２０および加入者側ＰＯＮ  Ｉ／Ｆ６０−１〜６０−ｎの監視を行う。
【００２５】
伝送路４０は、二重化された光ファイバ等の光伝送路４０Ａ，４０Ｂによって構成され、光電変換部２３Ａ，２３Ｂから出力される光信号をカプラ５０−１，５０−２に伝送するとともに、カプラ５０−１，５０−２から出力される光信号を光電変換部２３Ａ，２３Ｂに伝送する。
【００２６】
カプラ５０−１，５０−２は、１：ｎカプラによって構成され、光伝送路４０Ａ，４０Ｂから出力される光信号をｎ分波してカプラ５１−１〜５１−ｎに出力する。また、カプラ５０−１，５０−２は、カプラ５１−１〜５１−ｎから出力される光信号を合波して光伝送路４０Ａ，４０Ｂに出力する。
【００２７】
カプラ５１−１〜５１−ｎは、２：１カプラによって構成され、カプラ５０−１，５０−２から出力される光信号を合波して加入者側ＰＯＮ  Ｉ／Ｆ６０−１〜６０−ｎにそれぞれ出力する。また、加入者側ＰＯＮ  Ｉ／Ｆ６０−１〜６０−ｎから出力される光信号を分波してカプラ５０−１，５０−２に出力する。
【００２８】
加入者側ＰＯＮ  Ｉ／Ｆ６０−１〜６０−ｎは、サービスの加入者宅に配置される光終端装置であり、伝送路４０を伝送される光信号を電気信号に変換するとともに、伝送路４０を伝送される光信号の信号形式と、家庭内で用いられるＬＡＮ等の信号形式とを相互に変換する機能を有する。なお、加入者側ＰＯＮ  Ｉ／Ｆ６０−１〜６０−ｎは、光送受信部をそれぞれ１台ずつ有している。
【００２９】
ＰＣ６１−１〜６１−ｎは、サービス加入者の操作に応じた情報を加入者側ＰＯＮ  Ｉ／Ｆ６０−１〜６０−ｎを介して伝送路４０に送出するとともに、伝送路４０を介して伝送されてきた情報を、例えば、テキスト、音声、映像として提示する。
【００３０】
（Ｂ）本発明の第１実施形態の動作の説明
つぎに、本発明の第１実施形態の動作を説明する。本発明の第１実施形態では、通信事業者側ＰＯＮ  Ｉ／Ｆ２０は、加入者側ＰＯＮ  Ｉ／Ｆ６０−１〜６０−ｎとの間のリンク断が生じた場合には、伝送路４０の異常によるリンク断か、あるいは、加入者側ＰＯＮ  Ｉ／Ｆ６０−１〜６０−ｎの電源断によるリンク断かを判定し、これらの情報に基づき伝送路４０を切り替える、または、維持する処理を実行する。
【００３１】
より詳細には、例えば、Ａ系であるＵＰ  ＬＩＮＫ側送受信部２１Ａ、ＰＯＮ  ＬＩＮＫ側送受信部２２Ａ、および、光電変換部２３Ａが動作状態とされ、Ｂ系であるＵＰ  ＬＩＮＫ側送受信部２１Ｂ、ＰＯＮ  ＬＩＮＫ側送受信部２２Ｂ、および、光電変換部２３Ｂが停止状態とされ、光伝送路４０Ａを介して、通信事業者側ＰＯＮ  Ｉ／Ｆ２０と加入者側ＰＯＮ  Ｉ／Ｆ６０−１〜６０−ｎの間で情報が授受されている場合に、全ての加入者側ＰＯＮ  Ｉ／Ｆ６０−１〜６０−ｎとの間でリンク断が生じたときは、ＰＯＮ  ＬＩＮＫ側送受信部２２Ａの検出部２２Ａ１がリンク断を検出し、ＰＯＮ  Ｉ／Ｆ制御部２４を介して総合監視制御部３０に通知する。
【００３２】
総合監視制御部３０は、全ての加入者側ＰＯＮ  Ｉ／Ｆ６０−１〜６０−ｎとのリンク断を検出した場合、つぎの２種類の異常のいずれかであると判定する。すなわち、光伝送路４０Ａの異常によるリンク断である場合か、または、加入者側ＰＯＮ  Ｉ／Ｆ６０−１〜６０−ｎの全ての電源が遮断された場合である。加入者側ＰＯＮ  Ｉ／Ｆ６０−１〜６０−ｎの電源が遮断される場合、電源が遮断される加入者側ＰＯＮ  Ｉ／Ｆは、電源が遮断されたことを示す情報（以下、「電源断情報」と称する）を通信事業者側ＰＯＮ  Ｉ／Ｆ２０に対して送信する。なお、電源断情報を送信する方法としては、例えば、加入者側ＰＯＮ  Ｉ／Ｆ６０−１〜６０−ｎが有する電源スイッチがオフの状態にされた場合には、例えば、電源のコンデンサに蓄電されている電力によって、電源が遮断されたことを示す情報を、通信事業者側ＰＯＮ  Ｉ／Ｆ２０に対して送信するようにすればよい。もちろん、これ以外の方法によって、電源断情報を送信するようにしてもよい。尚、電源断情報には、ＩＥＥＥ８０２．３の規格に準じたものを用いても良いし、この他自己を識別する情報等が含まれるようにしてもよい。
【００３３】
このような電源断情報は、ＰＯＮ  ＬＩＮＫ側送受信部２２Ａによって受信される。総合監視制御部３０は、全ての加入者側ＰＯＮ  Ｉ／Ｆ６０−１〜６０−ｎとの間のリンク断が検出された場合には、リンク断となる加入者側ＰＯＮ  Ｉ／Ｆから電源断情報を受信したか否かを判定し、全ての加入者側ＰＯＮ  Ｉ／Ｆ６０−１〜６０−ｎについて電源断情報を受信している場合には、伝送路４０Ａの異常ではなく、電源が遮断されたことによるリンク断と判定し、Ａ系からＢ系への切り替えは実行しない。一方、全ての加入者側ＰＯＮ  Ｉ／Ｆ６０−１〜６０−ｎについて電源断情報を受信していない場合には、伝送路４０Ａに異常が発生したと判断できるので、総合監視制御部３０は、Ａ系からＢ系への切り替えを実行する。すなわち、総合監視制御部３０は、ＵＰ  ＬＩＮＫ側送受信部２１Ａ、ＰＯＮ  ＬＩＮＫ側送受信部２２Ａ、および、光電変換部２３Ａの動作を停止するとともに、ＵＰ  ＬＩＮＫ側送受信部２１Ｂ、ＰＯＮ  ＬＩＮＫ側送受信部２２Ｂ、および、光電変換部２３Ｂの動作を開始させ、光伝送路４０Ｂを介して情報を送受信する。これにより、異常が発生している伝送路４０Ａの経路は使用されなくなるので、異常から復旧することができる。なお、Ｂ系に切り替える際に、Ｂ系に異常が発生しているか事前に判定するようにしてもよく、電源断情報を受信したか否かを判定するタイミングは、リンク断が検出される直前であってもよい。
【００３４】
また、総合監視制御部３０によって、加入者側ＰＯＮ  Ｉ／Ｆ６０−１〜６０−ｎの一部との間のリンク断が検出された場合、ＰＯＮ  ＬＩＮＫ側送受信部２２Ａの検出部２２Ａ１がリンク断を検出し、ＰＯＮ  Ｉ／Ｆ制御部２４を介して総合監視制御部３０に通知する。総合監視制御部３０は、加入者側ＰＯＮ  Ｉ／Ｆ６０−１〜６０−ｎの一部との間のリンク断の発生が通知された場合、つぎの２種類の異常のいずれかであると判定する。すなわち、カプラ５０−１と、カプラ５１−１〜５１−ｎのいずれかとの間で異常が発生した場合か、または、加入者側ＰＯＮ  Ｉ／Ｆ６０−１〜６０−ｎのいずれかの電源が遮断された場合である。加入者側ＰＯＮ  Ｉ／Ｆ６０−１〜６０−ｎの電源が遮断される場合、電源が遮断される加入者側ＰＯＮ  Ｉ／Ｆは、電源が遮断されたことを示す情報（以下、「電源断情報」と称する）を通信事業者側ＰＯＮ  Ｉ／Ｆ２０に対して送信する。なお、電源断情報を送信する方法としては、例えば、加入者側ＰＯＮ  Ｉ／Ｆ６０−１〜６０−ｎが有する電源スイッチがオフの状態にされた場合には、例えば、電源のコンデンサに蓄電されている電力によって、電源が遮断されたことを示す情報を、通信事業者側ＰＯＮ  Ｉ／Ｆ２０に対して送信するようにすればよい。もちろん、これ以外の方法によって、電源断情報を送信するようにしてもよい。なお、電源断情報には、ＩＥＥＥ８０２．３の規格に準じたものを用いても良いし、この他自己を識別する情報等が含まれるようにしてもよい。
【００３５】
このような電源断情報は、ＰＯＮ  ＬＩＮＫ側送受信部２２Ａによって受信される。総合監視制御部３０は、加入者側ＰＯＮ  Ｉ／Ｆ６０−１〜６０−ｎの一部との間のリンク断が検出された場合には、リンク断となる加入者側ＰＯＮ  Ｉ／Ｆから電源断情報を受信したか否かを判定し、リンク断となる加入者側ＰＯＮ  Ｉ／Ｆ全てから電源断情報を受信している場合には、カプラ５０−１とカプラ５１−１〜５１−ｎの間の異常ではなく、電源が遮断されたことによるリンク断と判定し、Ａ系からＢ系への切り替えは実行しない。一方、リンク断となる加入者側ＰＯＮ  Ｉ／Ｆ全てから電源断情報を受信していない場合には、カプラ５０−１とカプラ５０−１〜５０−ｎの間で異常が発生したと判断できるので、総合監視制御部３０は、Ａ系からＢ系への切り替えを実行する。すなわち、総合監視制御部３０は、ＵＰ  ＬＩＮＫ側送受信部２１Ａ、ＰＯＮ  ＬＩＮＫ側送受信部２２Ａ、および、光電変換部２３Ａの動作を停止するとともに、ＵＰ  ＬＩＮＫ側送受信部２１Ｂ、ＰＯＮ  ＬＩＮＫ側送受信部２２Ｂ、および、光電変換部２３Ｂの動作を開始させ、光伝送路４０Ｂを介して情報を送受信する。これにより、異常が発生しているカプラ５０−１とカプラ５１−１〜５１−ｎの経路は使用されなくなるので、異常から復旧することができる。なお、Ｂ系に切り替える際に、Ｂ系に異常が発生しているか事前に判定するようにしてもよく、電源断情報を受信したか否かを判定するタイミングは、リンク断が検出される直前であってもよい。
【００３６】
なお、図１の例では、リンク断となる加入者側ＰＯＮ  Ｉ／Ｆ全てから電源断情報を受信した場合、または、リンク断となる加入者側ＰＯＮ  Ｉ／Ｆ全てから電源断情報を受信していない場合を示したが、リンク断となる加入者側ＰＯＮ  Ｉ／Ｆの一部から電源断情報を受信しない場合に伝送路の切り替えを実行するようにしてもよい。具体的には、例えば、加入者側ＰＯＮ  Ｉ／Ｆ６０−１〜６０−ｎのうちｍ個（１≦ｍ≦ｎ）の加入者側ＰＯＮ  Ｉ／Ｆについてリンク断が検出された場合に、このうち所定数ｋ個（１≦ｋ≦ｍ）以上の加入者側ＰＯＮ  Ｉ／Ｆから電源断情報を受信しない場合に伝送路の切り替えを実行し、これ以外の場合は伝送経路を維持する構成としてもよい。このような構成とする事で、例えば、加入者の故意等によりリンク断が発生した場合や、伝送路４０Ａの断線が発生する直前に加入者の故意等により一部の加入者側ＰＯＮ  Ｉ／Ｆの電源が遮断された場合に、伝送経路４０Ａの異常の有無を誤検出し、該誤検出に基づいて伝送路を切り替える、または維持する制御を実行するのを防ぐことができる。尚、所定数ｋは使用環境に応じて適宜変更できる構成としてもよい。
【００３７】
なお、図１の例では、加入者側ＰＯＮ  Ｉ／Ｆ６０−１〜６０−ｎのみを有するようにしたが、図２に示すように、加入者側ＰＯＮ  Ｉ／Ｆ６０−１〜６０−ｎに加えて、加入者側ＰＯＮ  Ｉ／Ｆ７０−１〜７０−ｍを有するようにしてもよい。図２に示す例では、カプラ５２−１，５２−２は、１：２カプラによって構成される。カプラ５２−１は、光伝送路４０Ａから供給される光信号を分波してカプラ５０−１，５３−１に供給するとともに、カプラ５０−１，５３−１から供給される光信号を合波して光伝送路４０Ａに供給する。カプラ５２−２は、光伝送路４０Ｂから供給される光信号を分波してカプラ５０−２，５３−２に供給するとともに、カプラ５０−２，５３−２から供給される光信号を合波して光伝送路４０Ｂに供給する。カプラ５３−１，５３−２は、１：ｍカプラによって構成され、カプラ５２−１，５２−２から供給される光信号をｍ分波してカプラ５４−１〜５４−ｍに出力するとともに、カプラ５４−１〜５４−ｍから供給される光信号を合波してカプラ５２−１，５２−２に供給する。カプラ５４−１〜５４−ｍは、２：１カプラによって構成され、カプラ５３−１，５３−２から出力される光信号を合波して加入者側ＰＯＮ  Ｉ／Ｆ７０−１〜７０−ｍに供給するとともに、加入者側ＰＯＮ  Ｉ／Ｆ７０−１〜７０−ｍから供給される光信号を分波してカプラ５３−１，５３−２に供給する。なお、加入者側ＰＯＮ  Ｉ／Ｆ７０−１〜７０−ｍおよびＰＣ７１−１〜７１−ｍは、加入者側ＰＯＮ  Ｉ／Ｆ６０−１〜６０−ｎおよびＰＣ６１−１〜６１−ｎと同様の構成としてもよい。
【００３８】
図２に示す例では、図１の場合と同様にカプラ５０−１，５０−２とカプラ５１−１〜５１−ｎとの間で異常が発生した場合だけでなく、カプラ５３−１，５３−２とカプラ５４−１〜５４−ｍとの間で異常が発生した場合にも、リンク断が検出される。また、図２の例では、カプラ５２−１とカプラ５０−１またはカプラ５３−１の間で異常が発生した場合、および、カプラ５２−２とカプラ５０−２またはカプラ５３−２の間で異常が発生した場合にもリンク断が検出されることになる。このような場合には、前述したように、電源断情報が送信されているかを判定することで、電源断を異常として誤判定することを防止できる。
【００３９】
以上に説明したように、本発明の第１実施形態によれば、加入者側ＰＯＮ  Ｉ／Ｆとの間でリンク断が生じた場合において、全ての加入者側ＰＯＮ  Ｉ／Ｆとの間におけるリンク断の場合には光伝送路に異常が発生したと判定してＡ系からＢ系へ切り替える。また、一部の加入者側ＰＯＮ  Ｉ／Ｆとの間におけるリンク断の場合には電源断情報を受信しているときには電源が遮断されたと判定して切り替えは行わず、電源断情報を受信していないときには異常が発生したと判定してＡ系からＢ系へ切り替えるようにしたので、電源断を異常と誤判定して系を切り替えることを防止できる。また、全ての加入者側ＰＯＮ  Ｉ／Ｆとの間でリンク断が生じた場合には異常の発生と判断して系を確実に切り替えることができる。さらに、加入者側ＰＯＮ  Ｉ／Ｆ６０−１〜６０−ｎおよび加入者側ＰＯＮ  Ｉ／Ｆ７０−１〜７０−ｍは、光送受信部を１つずつ備えることから、図６の場合に示すように２つずつ備える場合に比較して、製造コストを低く抑えることができる。
【００４０】
つぎに、図３を参照して、第１実施形態の詳細な動作について説明する。図３に示すフローチャートの処理が開始されると、以下のステップが実行される。
【００４１】
ステップＳ１１では、総合監視制御部３０は、現用系のＰＯＮ  ＬＩＮＫの状態を検出する。より詳細には、例えば、Ａ系が現用系として選択されて運用されている場合には、総合監視制御部３０は、ＰＯＮ  ＬＩＮＫ側送受信部２２Ａの検出部２２Ａ１によってＰＯＮ  ＬＩＮＫの状態を検出する。
【００４２】
ステップＳ１２では、総合監視制御部３０は、加入者側ＰＯＮ  Ｉ／Ｆ６０−１〜６０−ｎとの間におけるＰＯＮ  ＬＩＮＫが全て断の状態であるか否かを判定し、全て断の状態であると判定した場合（ステップＳ１２：Ｙｅｓ）にはステップＳ１４に進み、それ以外の場合（ステップＳ１２：Ｎｏ）にはステップＳ１３に進む。例えば、Ａ系が現用系として選択されている場合、総合監視制御部３０は、ＰＯＮ  ＬＩＮＫ側送受信部２２Ａの検出部２２Ａ１によってＰＯＮ  ＬＩＮＫが全て断の状態であることが検出されているときにはステップＳ１４に進み、それ以外の場合にはステップＳ１３に進む。
【００４３】
ステップＳ１３では、総合監視制御部３０は、加入者側ＰＯＮ  Ｉ／Ｆ６０−１〜６０−ｎとの間におけるＰＯＮ  ＬＩＮＫの一部が断の状態であるか否かを判定し、一部が断の状態であると判定した場合（ステップＳ１３：Ｙｅｓ）にはステップＳ１４に進み、それ以外の場合（ステップＳ１３：Ｎｏ）にはステップＳ１７に進む。例えば、Ａ系が現用系として選択されている場合、総合監視制御部３０は、ＰＯＮ  ＬＩＮＫ側送受信部２２Ａの検出部２２Ａ１によってＰＯＮ  ＬＩＮＫの一部が断の状態であることが検出されているときにはステップＳ１４に進み、それ以外の場合にはステップＳ１７に進む。
【００４４】
ステップＳ１４では、総合監視制御部３０は、リンク断と判定された加入者側ＰＯＮ  Ｉ／Ｆについて、電源断情報を受信済みか否かを判定し、受信済みである場合（ステップＳ１４：Ｙｅｓ）にはステップＳ１６に進み、それ以外の場合（ステップＳ１４：Ｎｏ）にはステップＳ１５に進む。例えば、リンク断が生じている加入者側ＰＯＮ  Ｉ／Ｆの電源が遮断された場合には、ＰＯＮ  ＬＩＮＫ側送受信部２２Ａの検出部２２Ａ１によって電源断情報が受信されているので、その場合にはステップＳ１６に進む。
【００４５】
ステップＳ１５では、現用系から待機系に切り替える処理を実行する。例えば、Ａ系が現用系として選択されている場合、総合監視制御部３０は、ＵＰ  ＬＩＮＫ側送受信部２１Ａ、ＰＯＮ  ＬＩＮＫ側送受信部２２Ａ、および、光電変換部２３Ａの動作を停止するとともに、ＵＰ  ＬＩＮＫ側送受信部２１Ｂ、ＰＯＮ  ＬＩＮＫ側送受信部２２Ｂ、および、光電変換部２３Ｂの動作を開始させ、光伝送路４０Ｂを介して情報を送受信する。
【００４６】
ステップＳ１６では、現用系の使用を維持する。例えば、Ａ系が現用系として選択されている場合、総合監視制御部３０は、ＵＰ  ＬＩＮＫ側送受信部２１Ａ、ＰＯＮ  ＬＩＮＫ側送受信部２２Ａ、および、光電変換部２３Ａの動作を継続する。
【００４７】
ステップＳ１７では、処理を終了するか否かを判定し、処理を終了しないと判定した場合（ステップＳ１７：Ｎｏ）にはステップＳ１１に戻って前述の場合と同様の処理を繰り返し、それ以外の場合（ステップＳ１７：Ｙｅｓ）には処理を終了する。
【００４８】
以上のフローチャートの処理によれば、前述した動作を実現することができる。
【００４９】
（Ｃ）本発明の第２実施形態の構成の説明
つぎに、本発明の第２実施形態について説明する。図４は、本発明の第２実施形態に係るネットワークシステムの構成例を示す図である。なお、図４において図１と対応する部分には同一の符号を付してあるのでその説明は省略する。図４では図１と比較すると、カプラ５０−１，５０−２およびカプラ５１−１〜５１−ｎが除外され、カプラ８０が新たに付加されている。それ以外の構成は、図１の場合と同様である。
【００５０】
ここで、カプラ８０は、２：ｎカプラによって構成され、光伝送路４０Ａ，４０Ｂから供給される光信号を合波するとともにｎ分波して加入者側ＰＯＮ  Ｉ／Ｆ６０−１〜６０−ｎに供給する。また、カプラ８０は、加入者側ＰＯＮ  Ｉ／Ｆ６０−１〜６０−ｎから供給される光信号を合波するとともに２分波して光伝送路４０Ａ，４０Ｂに供給する。
【００５１】
（Ｄ）本発明の第２実施形態の動作の説明
つぎに、第２実施形態の動作について説明する。なお、第２実施形態でも図３と同様のフローチャートの処理が実行される。一例として、Ａ系が現用系として選択されて運用されている場合に、例えば、光伝送路４０Ａに異常が発生したときには、全ての加入者側ＰＯＮ  Ｉ／Ｆ６０−１〜６０−ｎとのリンク断が発生する。そのような場合には、総合監視制御部３０は、図３のステップＳ１２においてＹｅｓと判定し、また、全ての加入者側ＰＯＮ  Ｉ／Ｆ６０−１〜６０−ｎについて電源断情報が検出されないため、図３のステップＳ１４においてＮｏと判定し、ステップＳ１５において、Ａ系からＢ系への切り替え処理を実行する。
【００５２】
一方、カプラ８０と加入者側ＰＯＮ  Ｉ／Ｆ６０−１〜６０−ｎとの間のいずれかの箇所において異常が発生した場合、または、加入者側ＰＯＮ  Ｉ／Ｆ６０−１〜６０−ｎのいずれかの電源が遮断された場合には、加入者側ＰＯＮ  Ｉ／Ｆ６０−１〜６０−ｎの一部とのリンク断が発生する。そのような場合には、総合監視制御部３０は、図３のステップＳ１３においてＹｅｓと判定し、ステップＳ１４において、電源断情報を受信済みか否かを判定し、受信済みである場合には電源が遮断されたと判定してステップＳ１６に進んで現用系であるＡ系の使用を維持する。一方、電源断情報を受信済みでない場合にはステップＳ１５においてＡ系からＢ系への切り替え処理を実行する。
【００５３】
以上の処理によれば、第１実施形態と同様に、加入者側ＰＯＮ  Ｉ／Ｆとの間でリンク断が生じた場合において、全ての加入者側ＰＯＮ  Ｉ／Ｆとの間におけるリンク断の場合には光伝送路に異常が発生したと判定してＡ系からＢ系へ切り替え、一部の加入者側ＰＯＮ  Ｉ／Ｆとの間におけるリンク断の場合には電源断情報を受信しているときには電源が遮断されたと判定して切り替えは行わず、電源断情報を受信していないときには異常が発生したと判定してＡ系からＢ系へ切り替えるようにした。このため、電源断を異常と誤判定して系を切り替えることを防止できる。また、全ての加入者側ＰＯＮ  Ｉ／Ｆとの間でリンク断が生じた場合には異常の発生と判断して系を確実に切り替えることができる。さらに、加入者側ＰＯＮ  Ｉ／Ｆ６０−１〜６０−ｎは、光送受信部を１つずつ備えることから、図６の場合に示すように２つずつ備える場合に比較して、製造コストを低く抑えることができる。
【００５４】
なお、図４に示す例では、加入者側ＰＯＮ  Ｉ／Ｆ６０−１〜６０−ｎのみを有するようにしたが、図５に示すように、加入者側ＰＯＮ  Ｉ／Ｆ６０−１〜６０−ｎに加えて、加入者側ＰＯＮ  Ｉ／Ｆ７０−１〜７０−ｍを有するようにしてもよい。図５に示す例では、カプラ５２−１は、光伝送路４０Ａから供給される光信号を分波してカプラ８０，８１に供給するとともに、カプラ８０，８１から供給される光信号を合波して光伝送路４０Ａに供給する。カプラ５２−２は、光伝送路４０Ｂから供給される光信号を分波してカプラ８０，８１に供給するとともに、カプラ８０，８１から供給される光信号を合波して光伝送路４０Ｂに供給する。カプラ８１は、２：ｍカプラによって構成され、カプラ５２−１，５２−２から供給される光信号を合波するとともにｍ分波して加入者側ＰＯＮ  Ｉ／Ｆ７０−１〜７０−ｍに出力するとともに、加入者側ＰＯＮ  Ｉ／Ｆ７０−１〜７０−ｍから供給される光信号を合波するとともに分波してカプラ５２−１，５２−２に供給する。なお、加入者側ＰＯＮ  Ｉ／Ｆ７０−１〜７０−ｍおよびＰＣ７１−１〜７１−ｍは、加入者側ＰＯＮ  Ｉ／Ｆ６０−１〜６０−ｎおよびＰＣ６１−１〜６１−ｎと同様の構成とされている。図５に示す例では、図２の場合と同様にカプラ８０と加入者側ＰＯＮ  Ｉ／Ｆ６０−１〜６０−ｎとの間で異常が発生した場合だけでなく、カプラ８１と加入者側ＰＯＮ  Ｉ／Ｆ７０−１〜７０−ｍとの間で異常が発生した場合にも、一部の加入者側ＰＯＮ  Ｉ／Ｆとの間でリンク断が検出される。また、図５の例では、カプラ５２−１，５２−２とカプラ８０，８１の間で異常が発生した場合にも一部の加入者側ＰＯＮ  Ｉ／Ｆとの間でリンク断が検出されることになる。このような場合には、前述したように、電源断情報が事前に送信されているかを判定することで、電源断を異常として誤判定することを防止できる
【００５５】
（Ｅ）変形実施形態の説明
以上の実施形態は一例であって、本発明が上述したような場合のみに限定されるものでないことはいうまでもない。例えば、以上の各実施形態では、ＰＯＮ  ＬＩＮＫ側送受信部２２Ａ，２２Ｂおよび光電変換部２３Ａ，２３Ｂは独立した構成としたが、例えば、ＰＯＮ  ＬＩＮＫ側送受信部２２Ａと光電変換部２３Ａを１の構成とし、また、ＰＯＮ  ＬＩＮＫ側送受信部２２Ｂと光電変換部２３Ｂを１の構成としてもよい。
【００５６】
また、以上の実施形態では、通信事業者側ＰＯＮ  Ｉ／Ｆ２０は１台だけ存在する場合を例に挙げて説明したが、通信事業者側ＰＯＮ  Ｉ／Ｆが複数存在する構成としてもよいことはいうまでもない。
【００５７】
また、以上の実施形態では、総合監視制御部３０を有する構成としたが、総合監視制御部３０を除外して、ＰＯＮ  Ｉ／Ｆ制御部２４が総合監視制御部３０の機能を有する構成としてもよい。
【００５８】
また、以上の実施形態では、リンク断と判定された加入者側ＰＯＮ  Ｉ／Ｆの電源断情報の検出結果に基づいて伝送路を切り替える、または維持する構成としたが、一部または全ての加入者側ＰＯＮ  Ｉ／Ｆのリンク断が所定の時間内に復旧した場合には伝送経路を維持する構成や、同一の加入者側ＰＯＮ  Ｉ／Ｆついて複数回リンク断が検出された場合、またはこのうち所定回数以上電源断情報を受信しない場合に伝送経路を切り替える構成、この他電源断情報の検出結果に応じて伝送経路を切り替える、または維持する構成としてもよい。この様な構成とする事で、例えば、何らかの理由によって電源断情報が遅れる、または伝送路が正常であるにも関わらず電源断情報を受信しない場合や、加入者の故意等によってリンク断と復旧が断続的に引き起こされる場合等に、伝送経路の異常の有無を誤検出するのを防ぐことができる。
【符号の説明】
【００５９】
１０  上位ネットワーク
２０  通信事業者側ＰＯＮ  Ｉ／Ｆ（通信事業者側回線終端装置）
２１Ａ，２１Ｂ  ＵＰ  ＬＩＮＫ側送受信部
２１Ａ１，２１Ｂ１，２２Ａ１，２２Ｂ１，２３Ａ１，２３Ｂ１  検出部（リンク断検出手段、電源断検出手段）
２１Ａ２，２１Ｂ２，２２Ａ２，２２Ｂ２，２３Ａ２，２３Ｂ２  制御部
２２Ａ，２２Ｂ  ＰＯＮ  ＬＩＮＫ側送受信部
２３Ａ，２３Ｂ  光電変換部
２４  ＰＯＮ  Ｉ／Ｆ制御部（選択手段の一部、制御手段の一部）
３０  総合監視制御部（選択手段の一部、制御手段の一部）
４０Ａ，４０Ｂ  光伝送路（第１，第２伝送路）
５０−１，５０−２，５１−１〜５１−ｎ  カプラ
５２−１，５２−２，５３−１，５３−２，５４−１〜５４−ｍ  カプラ
８０，８１  カプラ
６０−１〜６０−ｎ，７０−１〜７０−ｍ  加入者側ＰＯＮ  Ｉ／Ｆ（加入者側回線終端装置）
６１−１〜６１−ｎ，７１−１〜７１−ｍ  ＰＣ
【図１】
0006278923.tif 000002
【図２】
0006278923.tif 000003
【図３】
0006278923.tif 000004
【図４】
0006278923.tif 000005
【図５】
0006278923.tif 000006
【図６】
0006278923.tif 000007